(57)【要約】【課題】複数のチャンネルで同時受信できるレシーバーと複数のマイクとにより構成されるワイヤレスマイクシステムにおいて、システム間での混信を防止し、受信チャンネルがわからないレシーバーに合わせてマイクの送信チャンネルを短時間で自動設定できるようにする。【解決手段】複数の異なるバンドで同時受信可能な複数の受信回路手段と、各受信回路手段におけるチャンネルを選択する手段と選択されているチャンネルを指示する信号を出力する手段とを備えたレシーバーと、ワイヤレスマイク内の２次電池を充電するための手段とチャンネル指示信号を受信する手段と充電状態にセットされたワイヤレスマイクを受信したチャンネル指示信号に対応したチャンネルに設定させる手段とを備えた充電架台と、適合バンドにより異なる外観要素と充電架台からの制御を受けてチャンネルを選択する手段を備えた複数のワイヤレスマイクとにより構成される。【選択図】      図１
2004289454.tif 000002
【特許請求の範囲】
【請求項１】
レシーバー、充電架台、複数の充電式ワイヤレスマイクにより構成され、
レシーバーは、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を出力するチャンネル指示手段とを備え、
充電架台は、ワイヤレスマイクに給電してマイクに内蔵の２次電池を充電するための手段と、レシーバーから出力されるチャンネル指示信号を受信する手段と、充電状態にセットされたワイヤレスマイクを受信したチャンネル指示信号に対応したチャンネルに設定させる手段とを備え、
複数のワイヤレスマイクは、それぞれがレシーバーにおける複数のバンドのどれかに適合していて適合バンドにより外観が異なり、充電架台からの制御を受けて複数の送信可能チャンネルの中から１つのチャンネルを選択するチャンネル切替手段を備えている、
ことを特徴とするワイヤレスマイクシステム。
【請求項２】
請求項１に記載のワイヤレスマイクシステムを構成する前記レシーバーであって、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を出力するチャンネル指示手段とを備えたことを特徴とするレシーバー。
【請求項３】
前記チャンネル設定手段は、１系統の選択手段により各受信回路手段のチャンネルをまとめて選択することを特徴とする請求項２に記載のレシーバー。
【請求項４】
請求項１に記載のワイヤレスマイクを構成する前記充電架台であって、ワイヤレスマイクに給電してマイクに内蔵の２次電池を充電するための手段と、レシーバーから出力されるチャンネル指示信号を受信する手段と、充電状態にセットされたワイヤレスマイクを受信したチャンネル指示信号に対応したチャンネルに設定させる手段とを備えていることを特徴とする充電架台。
【請求項５】
請求項１に記載のワイヤレスマイクシステムを構成する前記ワイヤレスマイクであって、適合バンドごとに異なる外観要素と、充電架台からの制御を受けて複数の送信可能チャンネルの中から１つのチャンネルを選択するチャンネル切替手段とを備えたことを特徴とするワイヤレスマイク。
【発明の詳細な説明】
【０００１】
【発明の属する技術分野】
この発明は、ワイヤレスマイクシステムに関し、具体的には、ワイヤレスマイクの送信チャンネルをレシーバーの受信チャンネルに合わせて自動設定する機能を備えたワイヤレスマイクシステムに関する。
【０００２】
【従来の技術】
ワイヤレスマイクシステムは、レシーバーとワイヤレスマイクとから構成される。ワイヤレスマイクシステムには、赤外線方式と電波方式とがある。これらの方式の違いは、マイク入力された音声の変調信号を赤外線を用いて搬送するか、電波を用いて搬送するかの点にあり、両方式ともＦＭ変調された音声信号を送受信している。
【０００３】
電波方式では、複数のシステムが近接して設置されていると混信する可能性があることから、各システムにおけるレシーバーとマイクの設定チャンネルを異ならせておく必要がある。その点、赤外線方式のシステムは、レシーバーとワイヤレスマイクとが見通せる位置関係に無い限り、混信する可能性がない。しかしながら、各方式における搬送周波数は、一般的に、赤外線方式が２〜４ＭＨｚであり、電波式が８００ＭＨｚ程度である。したがって、電波式の方が帯域を広く取れ、音質がよい。なお、複数のシステム間での混信を防止するためにワイヤレスマイクとレシーバーとの送受信をチャンネルごとに繰り返してスキャンして空きチャンネルを特定し、そのチャンネルに自動設定するワイヤレスマイクシステムもある（例えば、特許文献１参照）。
【０００４】
【特許文献１】
特開平６−３２６６２１号公報
【０００５】
【発明が解決しようとする課題】
ワイヤレスマイクシステムが利用されている機器として、カラオケ装置がよく知られている。上述したように、電波式ワイヤレスマイクシステムは、赤外線方式より音質の点で勝るため、カラオケという音質が重視される用途ではカラオケ装置には電波式ワイヤレスシステムを利用する方が望ましい。しかし、カラオケボックスなど、複数の客室のそれぞれにカラオケ装置が設置されている店舗形態では、隣室のカラオケ装置に他の客室のマイクの音声が混入する可能性がある。そのため、各客室におけるワイヤレスマイクシステムが使用するチャンネルは厳密に管理されている。しかも、カラオケ装置用のワイヤレスマイクシステムでは、デュエット用に同時に使用可能な２本のマイクが付属しており、これら２本のマイクについても相互に干渉しないように、カラオケ装置本体には、送信チャンネルの異なる２つのワイヤレスマイクからの変調音声信号を同時に受信・復調できるように２系統の受信・復調回路が実装されたレシーバーが搭載されている。
【０００６】
ところで、カラオケ装置に適用されるワイヤレスマイクシステムの大きな問題点としては、チャンネルがシステムごとにほぼ固定的に設定されている点にある。すなわち、あるカラオケ装置用のマイクが故障するなどして他のマイクに交換する場合、レシーバーの受信チャンネルを確認し、どちらの受信チャンネルに対応するマイクを交換するのかを調べる。そして、マイクの送信チャンネルを正しく設定する。この作業は極めて煩雑であり、その作業を利用客がするわけにも行かない。また、上記特開平６−３２６６２１号公報に記載のワイヤレスマイクシステムをカラオケ装置に搭載したとしても、空きチャンネルをスキャンするのに時間が掛かるし、ワイヤレスマイクシステム自体も高価である。したがって、カラオケ装置には赤外線方式のワイヤレスマイクシステムを利用している場合が多い。
【０００７】
本発明は、複数のチャンネルで受信できるレシーバーとそれぞれのチャンネルに対応する複数のマイクとにより構成されるとともに、複数のシステムが近接して設置される使用形態にも対応し、簡単にかつ短時間で受信チャンネルがわからないレシーバーに合わせてマイクの送信チャンネルを自動設定できる安価なワイヤレスマイクシステムを提供することを目的としている。
【０００８】
【課題を解決するための手段】
本発明は、レシーバー、充電架台、複数の充電式ワイヤレスマイクにより構成されたワイヤレスマイクシステムであって、レシーバーは、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を出力するチャンネル指示手段とを備え、充電架台は、ワイヤレスマイクに給電してマイクに内蔵の２次電池を充電するための手段と、レシーバーから出力されるチャンネル指示信号を受信する手段と、充電状態にセットされたワイヤレスマイクを受信したチャンネル指示信号に対応したチャンネルに設定させる手段とを備え、複数のワイヤレスマイクは、それぞれがレシーバーにおける複数のバンドのどれかに適合していて適合バンドにより外観が異なり、充電架台からの制御を受けて複数の送信可能チャンネルの中から１つのチャンネルを選択するチャンネル切替手段を備えている、
また、上記ワイヤレスマイクシステムを構成する前記レシーバー、ワイヤレスマイク、および充電架台も本発明の範囲であり、レシーバーは、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を出力するチャンネル指示手段とを備えている。なお、前記チャンネル設定手段は、１系統の選択手段により各受信回路手段のチャンネルをまとめて選択することとしてもよい。
【０００９】
本発明の充電架台は、ワイヤレスマイクに給電してマイクに内蔵の２次電池を充電するための手段と、レシーバーから出力されるチャンネル指示信号を受信する手段と、充電状態にセットされたワイヤレスマイクを受信したチャンネル指示信号に対応したチャンネルに設定させる手段とを備えている。
【００１０】
また本発明のワイヤレスマイクは、適合バンドごとに異なる外観要素と、充電架台からの制御を受けて複数の送信可能チャンネルの中から１つのチャンネルを選択するチャンネル切替手段とを備えている。
【００１１】
【発明の実施の形態】
＝＝＝ワイヤレスマイクシステムの構成＝＝＝
本発明のワイヤレスマイクシステムは、カラオケ装置などに装備され、複数のカラオケ装置が設置されている店舗などに適用することができる。ここでは、ワイヤレスマイクシステムの設置例として、複数のシステムが複数の独立した部屋に設置されるとともに、各部屋が近接している場合を想定する。
【００１２】
この想定の下で、以下、本発明の実施例におけるワイヤレスマイクシステムのチャンネル設定方法について説明する。図１に本実施例におけるワイヤレスマイクシステムの構成を示した。ワイヤレスマイクシステムは、特定の２つのバンドで同時受信できるレシーバー１と、２つのバンドのそれぞれに適合する２本のワイヤレスマイク３と、ワイヤレスマイク３の内蔵２次電池を充電するための充電架台２とによって構成されている。レシーバー１と充電架台２とは所定規格の通信インタフェースにより通信可能となっており、本実施例では、ＵＳＢなど、分岐可能な通信インタフェースエースを介してレシーバー１と充電架台２とが通信するように構成されている。そして、２つのワイヤレスマイク３のそれぞれに用意された２台の充電架台２からの通信線５がハブ４を介してレシーバー１と接続されている。もちろん、充電架台は１台だけで、交互にワイヤレスマイクをセットするようにしてもよいし、複数本のワイヤレスマイクをセットできる充電架台としてもよい。２台の充電架台２とレシーバー１とを直列に接続して通信する構成や通信インタフェースを採用することもできる。
【００１３】
また、ワイヤレスマイク３のグリップ３２の下端には、２次電池への電力供給口となる充電端子（図示せず）と、データ通信用端子（図示せず）とが配設されており、充電架台２には、ワイヤレスマイク３を充電状態にセットししたときにワイヤレスマイク３の充電端子に接触して電力供給するための給電端子（図示せず）や、データ通信用端子と結合するコネクタ（図示せず）が配設されている。
【００１４】
なお、２本のワイヤレスマイク３の適合バンドは異なり、他方のバンドに属するチャンネルでは送信できないような構成となっている。また、複数のワイヤレスマイクシステムでは同じバンドについては同じチャンネルとならないようにレシーバーの受信チャンネルがあらかじめ設定されているものとする。
【００１５】
＝＝＝レシーバーにおける受信チャンネル設定＝＝＝
図２は各ワイヤレスマイクシステムにおけるバンドとチャンネルの設定例である。この例では５組のワイヤレスマイクシステム（Ａ〜Ｅ）が設置されており、各ワイヤレスマイクシステムは、特定の２つのバンドａ、ｂと、各バンドについて１〜５の５つのチャンネルを使用することができるようになっている。したがって、バンドとチャンネルの組み合わせによってそのシステムが使用する周波数が決定する。すなわち、同じ組み合わせが存在しなければ混信は発生しない。なおバンドとは、あるバンドに属するチャンネルの周波数と、他のバンドに属するチャンネルの周波数とが帯域を含めて重複しないように設定されたチャンネル群であり、所定の周波数範囲でなくてもよい。
【００１６】
＝＝＝ワイヤレスマイクのバンド特定＝＝＝
カラオケ装置などに装備されるワイヤレスマイクシステムでは、設置当初にレシーバーの受信バンドと受信チャンネルを設定してしまえば、そのバンドとチャンネルの組み合わせは変更されることはなく、ほぼ固定的に設定されたままとなる。このような設置形態において、例えば、一方のバンドに対応するワイヤレスマイクが故障したとする。この場合、故障したマイクが対応しているバンドがａ、ｂのいずれかであるのかを知る必要がある。そこで、ワイヤレスマイクの外観をａ、ｂの各バンドに応じて変えている。図３に本実施例のワイヤレスマイクシステムにおけるワイヤレスマイク３の外観図を示した。本実施例では、グリップ３２の部分に自身の適合バンドに応じて色の異なるテープ３１が貼られている。もちろん、マイク自体の形状や「ａ」「ｂ」とバンド自体を明記するなど、外観的な特徴が適合するバンドによって異なればそれでよい。
【００１７】
＝＝＝ワイヤレスマイクシステムのチャンネル設定＝＝＝
つぎに、交換すべきワイヤレスマイクのバンドを知ることができたとしても、送信相手のレシーバーの受信チャンネルを知ることができなければ送信チャンネルを合わせることができない。また、送信チャンネルの設定方法が複雑であれば、利用者はチャンネルを正しく合わせることができない。本実施例のワイヤレスマイクシステムは、レシーバーの受信チャンネルがわからなくても、自動的にワイヤレスマイクの送信チャンネルを正しく自動設定する機能を備えている。
【００１８】
図４〜図６に、ワイヤレスマイクシステムにおけるレシーバー、充電架台、ワイヤレスマイクの機能ブロック図をそれぞれに示した。レシーバー１はレシーバー制御部１１を主制御部として統括制御されている。また、２つのバンドに対応して２つの受信処理系統として受信回路１２ａ、１２ｂを備え、各受信回路１２ａ、１２ｂは、従来のレシーバーと同様に、アンテナ１３を介して導入されるあるバンドのあるチャンネル（搬送周波数）に同調し、その搬送波を検波して変調されている音声信号を復調する。そして、その音声信号を増幅して外部の音響機器に出力する。
【００１９】
操作パネル１４は各バンドにおける受信チャンネルの設定入力を受け付ける。操作制御部１５は、操作パネル１４に対する操作入力に応じた情報をレシーバー制御部１１に受け渡す。レシーバー制御部１１は、設定された各バンドの受信チャンネルに応じて同調周波数を変更する。
【００２０】
また、レシーバー制御部１１は、各バンドのチャンネルが変更設定されるごとに、そのバンドとチャンネルの組み合わせについての情報を含むコードを生成し、これを内部のＲＡＭなどに記憶する。そして、レシーバー通信制御部１６を介して通信架台２が接続されたことを認知すると、レシーバー通信制御部１６にそのチャンネルについての情報を含んだチャンネル指示信号を送出させる。
【００２１】
充電架台２の架台制御部２１は、レシーバー１からチャンネル指示信号が送出されてくると、これを架台通信制御部２２を介して受け取り、内部のＲＡＭなどにこの信号に相当するデータを記憶する。充電制御部２３は、ワイヤレスマイク３が充電状態にセットされると、２次電池の充電動作を開始するとともに、ワイヤレスマイク３がセットされた旨を架台制御部２１に通知する。架台制御部２１は、この通知を受け取ると、先に記憶したチャンネル指示信号のデータをチャンネル指示信号送信部２４に送出させる。なお、ワイヤレスマイク３が充電架台２にセットされたことを検出する方式としては、スイッチ機構を備えた給電端子を用い、マイクがセットされるとこのスイッチの接点が閉じて所定の信号を架台制御部２１に送出する構成とするなど適宜な方式が考えられる。
【００２２】
ワイヤレスマイク３は、マイク制御部３３を主制御部として統括・制御される。変調部３７は、ＰＬＬ、ＶＣＯを含んで構成され、マイク制御部３３がＰＬＬを制御して送信チャンネルに相当する周波数で発振させる。ピックアップ３５に入力された音声はここで音響電気変換され、音声信号増幅部３６により増幅される。変調部３７は、この増幅音声信号によって発振周波数の信号を変調する。この変調音声信号は、送信電波増幅部３８により増幅されてアンテナ３９より変調電波として送出される。
【００２３】
さらにこのワイヤレスマイク３は、レシーバー１の受信バンドと受信チャンネルの組み合わせに応じて送信チャンネルをそれに合わせて自動設定する機能を備えている。マイク制御部３３は、充電架台２からチャンネル指示信号のデータをチャンネル指示信号受信部３４を介して受け取り、そのデータに含まれるバンドの情報がマイク自身が対応するバンドであることを確認すると、データに含まれるチャンネルを発信周波数として、変調部３７を制御する。それによって、送信チャンネルが自動設定される。
【００２４】
＝＝＝ワイヤレスマイクに対するチャンネル設定方式＝＝＝
上記実施例では、レシーバーからのチャンネル指示信号を充電架台側で一時記憶し、その信号を充電時にワイヤレスマイクに転送していた。この構成に限らず、例えば、ワイヤレスマイクに機械式のチャンネル切り替え機構があり、充電架台には、レシーバーから受け取ったチャンネル指示信号に従って、充電状態にセットされているワイヤレスマイクのチャンネル切り替え機構を機械的に動作させてワイヤレスマイク側のチャンネルを切り替える構成としてもよい。
【００２５】
＝＝＝レシーバーにおける受信チャンネルの設定＝＝＝
レシーバーは同時受信可能な複数のバンドのそれぞれに受信チャンネルを選択・設定するように構成されている。もちろん、各バンドごとに受信チャンネルの選択入力を受け付けるようにしてもよいが、バンドの数だけ選択作業が必要となる。また、各バンド間では受信チャンネルの組み合わせが任意となり、近隣の他のシステムにて選択されているバンドと受信チャンネルの組み合わせと同じになってしまう可能性もある。
【００２６】
そこで、それぞれのバンドに選択される複数の受信チャンネルの組み合わせを決めておき、その組み合わせを指定するようにすれば、バンドごとに受信チャンネルを設定することなく、１回の操作で各バンドの受信チャンネルを設定することができる。また、複数のシステム間では、バンドごとの受信チャンネルの設定を考慮することなく、受信チャンネルの組み合わせを異なるものにするだけで混信を防止することができる。
【００２７】
＝＝＝バンドとチャンネルの情報伝達＝＝＝
上記実施例では、有線の通信インタフェースを介してレシーバーと充電架台とが通信していた。この例に限らず、ＩｒＤＡやブルートゥース（登録商標）など近接するシステムとの混信が少ない短距離無線通信インタフェースを介して通信するように構成してもよい。
【００２８】
【発明の効果】
本発明のワイヤレスマイクシステムによれば、複数のチャンネルで受信できるレシーバーとそれぞれのチャンネルに対応する複数のマイクとを含むシステム構成に対応し、簡単にかつ短時間で受信チャンネルがわからないレシーバーに合わせてマイクの送信チャンネルを自動設定できる。また、システム自体も安価なコストで提供することができる。
【図面の簡単な説明】
【図１】本発明の実施例におけるワイヤレスマイクシステムの構成図である。
【図２】本発明の実施例におけるワイヤレスマイクシステムのチャンネル設定状態を示す概略図である。
【図３】上記ワイヤレスマイクシステムを構成するワイヤレスマイクの外観図である。
【図４】上記ワイヤレスマイクシステムを構成するレシーバーの機能ブロック図である。
【図５】上記ワイヤレスマイクシステムを構成する充電架台の機能ブロック図である。
【図６】上記ワイヤレスマイクシステムを構成するワイヤレスマイクの機能ブロック図である。
【符号の説明】
１  レシーバー
２  充電架台
３  ワイヤレスマイク
１１  レシーバー制御部
１２ａ、１２ｂ  受信回路
１６  レシーバー通信制御部
２１  架台制御部
２２  架台通信制御部
２４  チャンネル指示信号送信部
３１  適合バンド指示テープ
３３  マイク制御部
３４  チャンネル指示信号受信部
【図１】
2004289454.tif 000003
【図２】
2004289454.tif 000004
【図３】
2004289454.tif 000005
【図４】
2004289454.tif 000006
【図５】
2004289454.tif 000007
【図６】
2004289454.tif 000008